【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
文書をスキャンして得られたスキャン画像データに関連する情報を設定するためのシステムであって、
処理対象のスキャン画像データを解析して１または複数の文字列領域を抽出する解析手段と、
前記処理対象のスキャン画像データに類似する過去のスキャン画像データがある場合、前記解析手段で抽出された文字列領域と、前記類似する過去のスキャン画像データに関連する情報を設定する際に用いられた文字列領域と、前記類似する過去のスキャン画像データに関連する情報を設定する際に用いられなかった文字列領域とに基づいて、前記処理対象のスキャン画像データに関連する情報を設定する際に用いるべき文字列領域を特定する特定手段と、を備え、
前記特定手段は、前記解析手段で抽出された文字列領域のうち、前記類似する過去のスキャン画像データに関連する情報を設定する際に用いられた文字列領域と前記類似する過去のスキャン画像データに関連する情報を設定する際に用いられなかった文字列領域との両方に対応すると判定された文字列領域について分割を行い、分割後の文字列領域に基づいて、前記処理対象のスキャン画像データに関連する情報を設定する際に用いるべき文字列領域を特定することを特徴とするシステム。
【請求項２】
前記特定手段は、前記解析手段で前記処理対象のスキャン画像データから抽出された文字列領域の情報と、前記過去のスキャン画像データの文字列領域の情報とを比較することによって、前記処理対象のスキャン画像データに類似する過去のスキャン画像データがあるかどうか判定することを特徴とする請求項１に記載のシステム。
【請求項３】
前記特定手段は、前記解析手段で前記処理対象のスキャン画像データから抽出された文字列領域の座標と大きさを示す情報と、前記過去のスキャン画像データの文字列領域の座標と大きさを示す情報とを比較することによって、前記処理対象のスキャン画像データに類似する過去のスキャン画像データがあるかどうか判定することを特徴とする請求項２に記載のシステム。
【請求項４】
前記特定手段は、前記解析手段で前記処理対象のスキャン画像データから抽出された文字列領域のうち、前記類似する過去のスキャン画像データに関連する情報を設定する際に用いられた文字列領域に重なる文字列領域を候補領域とし、当該候補領域のうち、前記類似する過去のスキャン画像データに関連する情報を設定する際に用いられなかった文字列領域に重なる候補領域について分割を行い、当該分割後の候補領域と、前記類似する過去のスキャン画像データに関連する情報を設定する際に用いられなかった文字列領域に重ならない候補領域とに基づいて、前記処理対象のスキャン画像データに関連する情報を設定する際に用いるべき文字列領域を特定することを特徴とする請求項１乃至３のいずれか１項に記載のシステム。
【請求項５】
前記特定手段は、更に、前記類似する過去のスキャン画像データに関連する情報を設定する際に用いられなかった文字列領域に重ならない候補領域のうち、当該候補領域の周辺領域の個数が減少している候補領域について分割を行い、当該分割後の候補領域と、前記類似する過去のスキャン画像データに関連する情報を設定する際に用いられなかった文字列領域に重ならず且つ周辺領域の個数が減少しなかった候補領域とに基づいて、前記処理対象のスキャン画像データに関連する情報を設定する際に用いるべき文字列領域を特定することを特徴とする請求項４に記載のシステム。
【請求項６】
前記特定手段は、前記解析手段で抽出された文字列領域のうち、前記類似する過去のスキャン画像データに関連する情報を設定する際に用いられた文字列領域と前記類似する過去のスキャン画像データに関連する情報を設定する際に用いられなかった文字列領域との両方に対応すると判定された文字列領域を、前記類似する過去のスキャン画像データに関連する情報を設定する際に用いられなかった文字列領域の幅に基づいて分割することを特徴とする請求項１乃至５のいずれか１項に記載のシステム。
【請求項７】
前記スキャン画像データを表示画面に表示するとともに、前記特定手段により特定された文字列領域を選択状態にして表示するように制御する表示制御手段を、更に備えることを特徴とする請求項１乃至６のいずれか１項に記載のシステム。
【請求項８】
前記処理対象のスキャン画像データに関連する情報は、前記処理対象のスキャン画像データのファイル名であり、前記特定手段で特定された文字列領域の文字認識結果を前記ファイル名に用いることを特徴とする請求項１乃至７のいずれか１項に記載のシステム。
【請求項９】
文書をスキャンして得られたスキャン画像データに関連する情報を設定するための方法であって、
処理対象のスキャン画像データを解析して１または複数の文字列領域を抽出する解析ステップと、
前記処理対象のスキャン画像データに類似する過去のスキャン画像データがある場合、前記解析ステップで抽出された文字列領域と、前記類似する過去のスキャン画像データに関連する情報を設定する際に用いられた文字列領域と、前記類似する過去のスキャン画像データに関連する情報を設定する際に用いられなかった文字列領域とに基づいて、前記処理対象のスキャン画像データに関連する情報を設定する際に用いるべき文字列領域を特定する特定ステップと、を備え、
前記特定ステップでは、前記解析ステップで抽出された文字列領域のうち、前記類似する過去のスキャン画像データに関連する情報を設定する際に用いられた文字列領域と前記類似する過去のスキャン画像データに関連する情報を設定する際に用いられなかった文字列領域との両方に対応すると判定された文字列領域について分割を行い、分割後の文字列領域に基づいて、前記処理対象のスキャン画像データに関連する情報を設定する際に用いるべき文字列領域を特定することを特徴とする方法。
【請求項１０】
コンピュータを、請求項１乃至８のいずれか１項に記載のシステムの各手段として機能させるためのプログラム。
【手続補正２】
【補正対象書類名】明細書
【補正対象項目名】０００６
【補正方法】変更
【補正の内容】
【０００６】
本発明の一実施形態において、文書をスキャンして得られたスキャン画像データに関連する情報を設定するためのシステムは、処理対象のスキャン画像データを解析して１または複数の文字列領域を抽出する解析手段と、前記処理対象のスキャン画像データに類似する過去のスキャン画像データがある場合、前記解析手段で抽出された文字列領域と、前記類似する過去のスキャン画像データに関連する情報を設定する際に用いられた文字列領域と、前記類似する過去のスキャン画像データに関連する情報を設定する際に用いられなかった文字列領域とに基づいて、前記処理対象のスキャン画像データに関連する情報を設定する際に用いるべき文字列領域を特定する特定手段と、を備え、前記特定手段は、前記解析手段で抽出された文字列領域のうち、前記類似する過去のスキャン画像データに関連する情報を設定する際に用いられた文字列領域と前記類似する過去のスキャン画像データに関連する情報を設定する際に用いられなかった文字列領域との両方に対応すると判定された文字列領域について分割を行い、分割後の文字列領域に基づいて、前記処理対象のスキャン画像データに関連する情報を設定する際に用いるべき文字列領域を特定することを特徴とする。